(57)【要約】      （修正有）【課題】取り扱いが簡便であり、様々な体格の被施術者に椅子を適合させることができるクッションを提供する。【解決手段】クッション１２は、座部シート５上に載置される第１クッション部１３と、バックレスト７上に載置される第２クッション部２２とが、連結片で連結されたものであり、第１クッション部１３の第１裏面部１４と第２クッション部２２の第２裏面部２４とから、歯科診療椅子１と接触する載置面部３１が形成され、第１クッション部１３の第１表面部１４と第２クッション部２２の第２表面部２３とから、被施術者が載る支持面部３２が形成され、バックレスト７が倒れた第２姿勢に変形する歯科診療椅子１に対して、載置面部３１が、座部シート５とバックレスト７との間に形成された谷間１１に沿った形状となり、支持面部３２が平坦となる。【選択図】図５
0003232267.tif 000002
【実用新案登録請求の範囲】
【請求項１】
座部シートに対してバックレストが起きた第１姿勢又は前記バックレストが倒れた第２姿勢に変形する施術用椅子に載置されるクッションであって、
前記座部シート上に載置される第１クッション部と、
前記バックレスト上に載置される第２クッション部と、を有し、
前記第１クッション部の裏面である第１裏面部と前記第２クッション部の裏面である第２裏面部とから、前記施術用椅子と接触する載置面部が形成され、
前記第１クッション部の表面である第１表面部と前記第２クッション部の表面である第２表面部とから、被施術者が載る支持面部が形成され、
前記第２姿勢の前記施術用椅子に対して、前記載置面部が、前記座部シートと前記バックレストとの間に形成された谷間に沿った形状であり、前記支持面部が平坦である、
ことを特徴とするクッション。
【請求項２】
前記第１クッション部は、前記バックレスト側に向けられる側の厚みが、前記施術用椅子のレッグレスト側に向けられる側の厚みよりも厚く、
前記第２クッション部は、前記座部シート側に向けられる側の厚みが、前記施術用椅子のヘッドレスト側に向けられる側の厚みよりも厚い、
ことを特徴とする請求項１に記載されたクッション。
【請求項３】
前記第２クッション部の厚みが、前記第１クッション部の厚みよりも薄い、
ことを特徴とする請求項１又は請求項２に記載されたクッション。
【請求項４】
前記第１クッション部が、
前記第１表面部と、
前記第１裏面部と、
前記第１表面部及び前記第１裏面部に連接された第１対向面部と、から構成され、側方視の形状が三角形であり、
前記第２クッション部が、
前記第２表面部と、
前記第２裏面部と、
前記第２表面部及び前記第２裏面部に連接された第２対向面部と、から構成され、側方視の形状が三角形である、
ことを特徴とする請求項１から請求項３のいずれか１項に記載されたクッション。
【請求項５】
前記第１クッション部と前記第２クッション部とを連結した軟性の連結片を有する、
ことを特徴とする請求項１から請求項４のいずれか１項に記載されたクッション。
【請求項６】
前記連結片が、前記第１対向面部と前記第２対向面部とに連結された、
ことを特徴とする請求項４に従属する請求項５に記載されたクッション。
【請求項７】
前記第１クッション部と前記第２クッション部とが、前記連結片を介して分離可能である、
ことを特徴とする請求項５又は請求項６に記載されたクッション。
【請求項８】
前記第１表面部と前記第１対向面部とから形成された角が面取り加工されている、
ことを特徴とする請求項４に記載されたクッション。
【請求項９】
前記第２裏面部と前記第２対向面部とから形成された角が面取り加工されている、
ことを特徴とする請求項４に記載されたクッション。
【請求項１０】
前記第１姿勢の前記施術用椅子において、
前記第１裏面部が前記座部シートに接触し、前記第１対向面部が前記座部シートと前記バックレストとの隙間に配置され、前記第２裏面部が前記バックレストに接触し、前記第２対向面部が前記第１表面部に接触し、
前記第１姿勢から前記第２姿勢への変形の過程において、
前記バックレストが倒れることで前記第２対向面部が前記第１表面部に対して滑り、
前記第２姿勢の前記施術用椅子において、
前記第２対向面部が前記第１対向面部と対面し、前記第１表面部と前記第２表面部とが同一面上に揃う、
ことを特徴とする請求項４に記載されたクッション。
【請求項１１】
前記第１裏面部が、滑り止め部を有する、
ことを特徴とする請求項１から請求項１０のいずれか１項に記載されたクッション。
【請求項１２】
前記第２クッション部は、前記被施術者が載る部位が、当該部位の側方であって前記被施術者が載らない部位よりも柔らかい、
ことを特徴とする請求項１から請求項１１のいずれか１項に記載されたクッション。
【請求項１３】
前記第１クッション部は、前記被施術者が載る部位が、当該部位の側方であって前記被施術者が載らない部位よりも柔らかい、
ことを特徴とする請求項１から請求項１２のいずれか１項に記載されたクッション。
【考案の詳細な説明】
【技術分野】
【０００１】
本考案は、施術用椅子に用いられるクッションに関するものである。
【背景技術】
【０００２】
一般的に、例えば、歯科診療所等にある歯科用椅子は、被施術者が大人であることを前提とした形状である。大人の被施術者が着座する場合、被施術者は、歯科用椅子のシートとバックレストとの間に形成される谷間に臀部を置き、バックレストに背中を、レッグレストに脚を、それぞれ載せる。歯科用椅子が施術用の姿勢に変形する際、バックレストが倒れると共に、シートの先端側が上って傾くことで、歯科用椅子のシートとバックレストとの間に形成される谷間は、側面から視して、Ｖ字状又はほぼＶ字状（以下、単に「Ｖ字状」と記す。）となる。施術者の臀部は、Ｖ字状の谷間に収まり、また、ヘッドレストがバックレストに対して伸縮することで、施術者の頭部の位置に調節される。
【０００３】
しかし、被施術者の体格は様々であり、例えば、子供は一般的に大人よりも背丈が低いことから、大人の体格を前提とした歯科用椅子は、子供に適合しない。具体的には、子供は大人と比較して座高が低いため、普通に着座しても頭部がヘッドレストに届かない。したがって、座高の高さを調節する措置として、座布団やタオルを臀部の下に敷く方法等が施されているが、被施術者の姿勢が不安定となる。一方で、バックレストが倒れた後に、歯科医や歯科衛生士等（以下、「施術者等」と記す。）が、被施術者の頭部がヘッドレストに合う位置に被施術者の身体を引き揚げたり、被施術者が自力で適切な位置に這い上がったりする場合もあるが、これらは、施術者にとっても被施術者にとっても負担である。
【０００４】
そこで、バックレストに着脱されることで、様々な体格の被施術者に適合させることが可能なシート部材が、下記特許文献１に開示されている（以下、下記特許文献１に記載されたシート部材を、「公知文献１発明」と記す。）。公知文献１発明は、バックレストに着脱するための鉤状部や、被施術者が着座するためのロール状座部を有している。
【先行技術文献】
【特許文献】
【０００５】
【特許文献１】特開２０１６−２０９１０９号公報
【考案の概要】
【考案が解決しようとする課題】
【０００６】
しかし、公知文献１発明は、被施術者が子供であった場合にバックレストに取り付けられ、被施術者が大人であれば、大人に適合した既設のシートがバックレストに取り付けられるため、着脱の作業が煩雑である。また、ロール状座部は、シートよりも高い位置にあり、被施術者が着座すると、大腿部が宙に浮いた状態となって姿勢が不安定であるし、シートに足を載せることになり、衛生的でもない。
【０００７】
本考案は、この様な実情に鑑みて提案されたものである。すなわち、取り扱いが簡便であり、様々な体格の被施術者に椅子を適合させることができるクッションの提供を目的とする。
【課題を解決するための手段】
【０００８】
上記目的を達成するために、本考案に係るクッションは、座部シートに対してバックレストが起きた第１姿勢又は前記バックレストが倒れた第２姿勢に変形する施術用椅子に載置されるクッションであって、前記座部シート上に載置される第１クッション部と、前記バックレスト上に載置される第２クッション部と、を有し、前記第１クッション部の裏面である第１裏面部と前記第２クッション部の裏面である第２裏面部とから、前記施術用椅子と接触する載置面部が形成され、前記第１クッション部の表面である第１表面部と前記第２クッション部の表面である第２表面部とから、被施術者が載る支持面部が形成され、前記第２姿勢の前記施術用椅子に対して、前記載置面部が、前記座部シートと前記バックレストとの間に形成された谷間に沿った形状であり、前記支持面部が平坦である、ことを特徴とする。
【０００９】
本考案に係るクッションは、前記第１クッション部は、前記バックレスト側に向けられる側の厚みが、前記施術用椅子のレッグレスト側に向けられる側の厚みよりも厚く、前記第２クッション部は、前記座部シート側に向けられる側の厚みが、前記施術用椅子のヘッドレスト側に向けられる側の厚みよりも厚い、ことを特徴とする。
【００１０】
本考案に係るクッションは、前記第２クッション部の厚みが、前記第１クッション部の厚みよりも薄い、ことを特徴とする。
【００１１】
本考案に係るクッションは、前記第１クッション部が、前記第１表面部と、前記第１裏面部と、前記第１表面部及び前記第１裏面部に連接された第１対向面部と、から構成され、側方視の形状が三角形であり、前記第２クッション部が、前記第２表面部と、前記第２裏面部と、前記第２表面部及び前記第２裏面部に連接された第２対向面部と、から構成され、側方視の形状が三角形である、ことを特徴とする。
【００１２】
本考案に係るクッションは、前記第１クッション部と前記第２クッション部とを連結した軟性の連結片を有する、ことを特徴とする。
【００１３】
本考案に係るクッションは、前記連結片が、前記第１対向面部と前記第２対向面部とに連結された、ことを特徴とする。
【００１４】
本考案に係るクッションは、前記第１クッション部と前記第２クッション部とが、前記連結片を介して分離可能である、ことを特徴とする。
【００１５】
本考案に係るクッションは、前記第１表面部と前記第１対向面部とから形成された角が面取り加工されている、ことを特徴とする。
【００１６】
本考案に係るクッションは、前記第２裏面部と前記第２対向面部とから形成された角が面取り加工されている、ことを特徴とする。
【００１７】
本考案に係るクッションは、前記第１姿勢の前記施術用椅子において、前記第１裏面部が前記座部シートに接触し、前記第１対向面部が前記座部シートと前記バックレストとの隙間に配置され、前記第２裏面部が前記バックレストに接触し、前記第２対向面部が前記第１表面部に接触し、前記第１姿勢から前記第２姿勢への変形の過程において、前記バックレストが倒れることで前記第２対向面部が前記第１表面部に対して滑り、前記第２姿勢の前記施術用椅子において、前記第２対向面部が前記第１対向面部と対面し、前記第１表面部と前記第２表面部とが同一面上に揃う、ことを特徴とする。
【００１８】
本考案に係るクッションは、前記第１裏面部が、滑り止め部を有する、ことを特徴とする。
【００１９】
本考案に係るクッションでは、前記第２クッション部は、前記被施術者が載る部位が、当該部位の側方であって前記被施術者が載らない部位よりも柔らかい、ことを特徴とする。
【００２０】
本考案に係るクッションでは、前記第１クッション部は、前記被施術者が載る部位が、当該部位の側方であって前記被施術者が載らない部位よりも柔らかい、ことを特徴とする。
【００２１】
本考案に係るクッションは、前記第１クッション部が、クッション本体と、このクッション本体を覆うカバーとから構成され、前記クッション本体の前記角が面取り加工され、前記カバーの前記角が面取り加工されていない、ことを特徴とする。
【００２２】
本考案に係るクッションは、前記第２クッション部が、クッション本体と、このクッション本体を覆うカバーとから構成され、前記クッション本体の前記角が面取り加工され、前記カバーの前記角が面取り加工されていない、ことを特徴とする。
【考案の効果】
【００２３】
本考案に係るクッションは、座部シートに対してバックレストが起きた第１姿勢又はバックレストが倒れた第２姿勢に変形する施術用椅子に載置されるクッションであって、座部シート上に載置される第１クッション部と、バックレスト上に載置される第２クッション部とを有し、第１クッション部の裏面である第１裏面部と第２クッション部の裏面である第２裏面部とから、施術用椅子と接触する載置面部が形成され、第１クッション部の表面である第１表面部と第２クッション部の表面である第２表面部とから、被施術者が載る支持面部が形成され、第２姿勢の施術用椅子に対して、載置面部が、座部シートとバックレストとの間に形成された谷間に沿った形状であり、支持面部が平坦である。すなわち、第２姿勢の施術用椅子に対して、座部シートとバックレストとの谷間が、載置面部で埋められる一方で、被施術者が載る支持面部は、平坦となる。換言すれば、施術用椅子は、谷間が形成された第２姿勢であっても、本考案のクッションによって、疑似的に谷間が無い椅子となる。被施術者は、臀部を、谷間の位置に依らず、適当な位置に載せることができる。また、被施術者は、頭部をヘッドレストに載せた場合であっても、谷間の位置に依らずに臀部を適当な位置に載せることができる。したがって、本考案に係るクッションは、様々な体格の被施術者に施術用椅子を適合させることができる。また、本考案に係るクッションは、施術用椅子に載置されるだけの構成であるため、取り扱いが簡便である。
【００２４】
本考案に係るクッションでは、第１クッション部は、バックレスト側に向けられる側の厚みが、施術用椅子のレッグレスト側に向けられる側の厚みよりも厚く、第２クッション部は、座部シート側に向けられる側の厚みが、施術用椅子のヘッドレスト側に向けられる側の厚みよりも厚い。すなわち、第２姿勢の施術用椅子において、座部シートは、レッグレスト側が上がると共にバックレスト側が下がって傾斜した姿勢となり、バックレストは、ヘッドレスト側が倒れて傾斜した姿勢となる。本考案に係るクッションでは、第１クッション部は、バックレスト側に向けられる側の厚みが、レッグレスト側に向けられる側の厚みよりも厚いため、座部シートに載置されると、座部シートの傾きが疑似的に無くなり、被施術者が載る面が、水平又は水平に近似したもの（以下、被施術者が載る面であって、水平又は水平に近似した面を「施術面」と記す。）となる。同様に、第２クッション部は、座部シート側に向けられる側の厚みが、ヘッドレスト側に向けられる側の厚みよりも厚いため、バックレストに載置されると、バックレストの傾きが疑似的に無くなり、施術面となる。したがって、被施術者は、座部シートとバックレストとの谷間の位置に依拠せずに、ヘッドレストの位置に合わせた姿勢や、施術に適した姿勢をとることができる。
【００２５】
本考案に係るクッションは、第２クッション部の厚みが、第１クッション部の厚みよりも薄い。バックレストは、ランバー部分が隆起していることから、施術面を実現するうで、ランバーから施術面までの距離と、座部シートから施術面までの距離とは異なり、前者の方が短い。本考案に係るクッションでは、バックレストに載置される第２クッション部の厚みが、ランバーの張り出し度合いに相当する分、座部シートに載置される第１クッション部の厚みよりも薄く形成されている。したがって、適切な施術面が実現する。
【００２６】
本考案に係るクッションは、第１クッション部が、第１表面部と、第１裏面部と、第１表面部及び第１裏面部に連接された第１対向面部とから構成され、側方視の形状が三角形であり、第２クッション部が、第２表面部と、第２裏面部と、第２表面部及び第２裏面部に連接された第２対向面部とから構成され、側方視の形状が三角形である。すなわち、傾斜した座部シート及びバックレストに、三角形の各クッション部が載置されることで、座部シート及びバックレストの傾きが疑似的に無くなり、適切な施術面が実現する。
【００２７】
本考案に係るクッションは、第１クッション部と第２クッション部とを連結した軟性の連結片を有している。すなわち、第１クッション部と第２クッション部とが連結されているため、各クッション部を別個に扱う場合と比較して、取り扱いが簡便である。また、連結片によって、第１クッション部及び第２クッション部は、第１姿勢から第２姿勢への変形、又は、第２姿勢から第１姿勢への変形に追随して変位するため、取り扱いが簡便である。
【００２８】
本考案に係るクッションは、連結片が、第１対向面部と第２対向面部とに連結されている。この構成により、各クッション部は、各対向面部を起点として変位するため、変位する方向が一定である。したがって、各姿勢への変形において、バックレスト及び座部シートが傾斜する方向と、各クッション部が変位する方向とが一致し、各クッション部が適切に追随する。
【００２９】
本考案に係るクッションは、第１クッション部と第２クッション部とが、連結片を介して分離可能である。したがって、各クッション部を別個に取り扱うことができる。
【００３０】
本考案に係るクッションは、第１表面部と第１対向面部とから形成された角が面取り加工されている。この構成により、第１クッション部において面取り加工された部位と、第２クッション部との干渉が低減する。したがって、各姿勢への変形において、第２クッション部が円滑に変位する。
【００３１】
本考案に係るクッションは、第２裏面部と第２対向面部とから形成された角が面取り加工されている。この構成により、第２クッション部において面取り加工された部位と、第１クッション部との干渉が低減する。したがって、各姿勢への変形において、第２クッション部が円滑に変位する。
【００３２】
本考案に係るクッションは、第１姿勢の施術用椅子において、第１裏面部が座部シートに接触し、第１対向面部が座部シートとバックレストとの隙間に配置され、第２裏面部がバックレストに接触し、第２対向面部が第１表面部に接触し、第１姿勢から第２姿勢への変形の過程において、バックレストが倒れることで第２対向面部が第１表面部に対して滑り、第２姿勢の施術用椅子において、第２対向面部が第１対向面部と対面し、第１表面部と第２表面部とが同一面上に揃う。すなわち、各クッション部は、第２姿勢から第１姿勢への変形に追随して、円滑に変位し、適切な施術面が実現する。
【００３３】
本考案に係るクッションは、第１裏面部が、滑り止め部を有している。したがって、第１クッション部は、座部シートに対して滑らずに位置決めされる。
【００３４】
本考案に係るクッションの第２クッション部は、被施術者が載る部位が、当該部位の側方であって被施術者が載らない部位よりも柔らかい。したがって、被施術者は、第１クッション部のうち、被施術者が載る部位に当たって沈み、当該部位よりも硬い側方の部位によって両側から支持される。
【００３５】
本考案に係るクッションの第１クッション部は、被施術者が載る部位が、当該部位の側方であって被施術者が載らない部位よりも柔らかい。したがって、被施術者は、第１クッション部のうち、被施術者が載る部位に当たって沈み、当該部位よりも硬い側方の部位によって両側から支持される。
【図面の簡単な説明】
【００３６】
【図１】図１は、本考案の実施形態に係るクッションが取り付けられた施術用椅子における第１姿勢の外観斜視図である。
【図２】図２は、本考案の実施形態に係るクッションが取り付けられた施術用椅子における第１姿勢の外観正面図である。
【図３】図３は、図２におけるIII−III断面であって、本考案の実施形態に係るクッションが取り付けられた施術用椅子における第１姿勢の側面断面図である。
【図４】図４は、本考案の実施形態に係るクッションが取り付けられた施術用椅子における第１姿勢から第２姿勢への変形の途中が示された側面断面図である。
【図５】図５は、本考案の実施形態に係るクッションが取り付けられた施術用椅子における第２姿勢の側面断面図である。
【図６】図６は、本考案の実施形態に係るクッションの斜視図である。
【図７】図７は、本考案の実施形態に係るクッションの上面図である。
【図８】図８は、本考案の実施形態に係るクッションの側面図である。
【考案を実施するための形態】
【００３７】
以下に、本考案の実施形態に係るクッションを図面に基づいて説明する。図１ないし５は、本実施形態に係るクッション１２が取り付けられた施術用椅子としての歯科診療椅子１が示されている。図１ないし３は、患者である被施術者（図示省略。）が着座できる状態の歯科診療椅子１が示され、図４及び５は、被施術者（図示省略。）が横たわることができる状態の歯科診療椅子１が示されている。図６ないし８は、クッション１２が示されている。なお、本実施形態は、歯科診療に用いられる施術用椅子であるが、本考案は、本実施形態に限定されず、例えば、理美容施設における理美容用椅子等の実施形態も含まれる。また、以下では、図１に示されているとおり、歯科診療椅子１の正面が前方（Ｆｒｏｎｔ）、背面が後方（Ｒｅａｒ）、歯科診療椅子１の幅方向である側方のうちの一方側が左方（Ｌｅｆｔ  Ｓｉｄｅ）、他方側が右方（Ｒｉｇｈｔ  Ｓｉｄｅ）、歯科診療椅子１が昇降する方向が上方（Ｕｐ）又は下方（Ｄｏｗｎ）である。
【００３８】
歯科診療椅子１は、被施術者が施術を受ける際に着座し、横たわるものであり、歯科診療装置（図示省略。）の一部として歯科診療施設に備えられている。なお、歯科診療装置は、例えば、施術において用いられる各種機器が備えられたカスピダーユニット等を有している。カスピダーユニットは、インスツルメントを保持するアシスタントテーブルと、被施術者が口内に含んだ水を吐き出すためのスピットンと、被施術者に水を提供する給水機と、被施術者の口元を照らすデンタルライトとを有している。アシスタントテーブルに保持されるインスツルメントは、例えば、タービン、マイクロモーター、エアモーター、スケーラー、シリンジ等である。
【００３９】
図１ないし５に示されているとおり、歯科診療椅子１は、この歯科診療椅子１の姿勢を変形させる稼働装置２を有している。稼働装置２は、設置面に固定され、後部に操作スイッチ３を有し、前部にフットレスト４を有している。歯科診療椅子１は、稼働装置２の上に接続されている。歯科診療椅子１は、被施術者が座る座部シート５と、この座部シート５の前方部に連接されて被施術者の脚が載せられるレッグレスト６と、座部シート５の後方部に連接されて被施術者の上半身が載せられるバックレスト７、このバックレスト７の先端部に連接されて被施術者の頭部が載せられるヘッドレスト８と、座部シート５の左右側方に配置されて被施術者の腕が載せられるアームレスト９とを有している。座部シート５とバックレスト７との間には、隙間３５がある（図３参照。）。
【００４０】
施術者に操作されることで、歯科診療椅子１は自在に昇降し、バックレスト７は自在に伸縮し、倒れ又は起き、ヘッドレスト８は自在に伸縮し、倒れ又は起き、角度が変化する。また、歯科診療椅子１の姿勢は、施術者に操作されることで、予め決定された姿勢に、自動的に変形する。例えば、歯科診療椅子１は、座部シート５に対してバックレスト７が起きた第１姿勢や、バックレスト７が倒れた第２姿勢等に変形する。すなわち、第２姿勢では、座部シート５は、先端のレッグレスト６側が上がると共に後端のバックレスト７側が下がって傾斜した姿勢となり、バックレスト７は、後端のヘッドレスト８側が倒れて傾斜した姿勢となる。したがって、第２姿勢の歯科診療椅子１は、座部シート５とバックレスト７との間に、側方視の形状がＶ字状の谷間１１が形成されている（図４及び５参照。）。バックレスト７は、ランバー部分１０が隆起していることから、座部シート５と比較して、表面の位置が高くなる。
【００４１】
歯科診療椅子１には、クッション１２が載置されている。クッション１２は、座部シート５上に載置された第１クッション部１３と、バックレスト７上に載置された第２クッション部２２と、各クッション部１３，２２を連結した軟性の連結片３３とを有している。クッション１２は、歯科診療椅子１の変形に追随して変形する。すなわち、クッション１２は、第１姿勢では座位姿勢となり、第２姿勢では寝姿勢となる。
【００４２】
ここで、クッション１２を図面に基づいて説明する。図６ないし８は、寝姿勢のクッション１２が示されている。なお、クッション１２は、クッション本体がカバーで覆われたものであるが、以下では、原則として、両者を区別することなく同一の名称、符号をもって説明し、必要に応じて、クッション１２と、クッション本体又はカバーとを区別して説明する。クッション本体は、例えば、ポリウレタン等であり、カバーは、例えば、天然皮革、人工皮革、合成皮革、天然繊維、化学繊維等である。連結片３３も、カバーと同様の素材である。
【００４３】
図６ないし８に示されているとおり、クッション１２は、互いに連結された一対のクッション部材から構成されている。第１クッション部１３は、表面である第１表面部１４と、裏面である第１裏面部１５と、後端において第１表面部１４及び第１裏面部１５に連接された第１対向面部１６と、左側面である第１左側面部１７と、右側面である第１右側面部１８とから構成されている。第１クッション部１３は、側方視の形状を直角三角形とした三角柱である。すなわち、第１右側面部１８及び第１左側面部１７は、直角三角形であり、第１表面部１４及び第１裏面部１５は、四角形であり、第１対向面部１６は、長方形である。したがって、第１裏面部１５は、前端側から後端側に向かうにしたがって、徐々に第１表面部１４から離れて傾斜していることから、第１クッション部１３は、後端側の厚みが前端側の厚みよりも厚い。
【００４４】
カバーとしての第１裏面部１５は、座部シート５との摩擦抵抗が大きくなる滑り止め部（図示省略。）を有している。滑り止め部は、例えば、ゴムやシリコン等である。
【００４５】
クッション本体としての第１クッション部１３は、第１軟性部位１９と第１硬性部位２０とを有している。第１軟性部位１９は、第１クッション部１３のうち、左右方向における中央部分であって、前後に渡る部分である。第１軟性部位１９は、被施術者が載る部位であり、被施術者の臀部及び大腿部が当たる。第１硬性部位２０は、第１クッション部１３のうち、中央部分である第１軟性部位１９を除いた左右側方部分であって、前後に渡る部分である。第１軟性部位１９は、第１硬性部位２０と比較して柔らかく、換言すれば、第１硬性部位２０は、第１軟性部位１９と比較して硬い。
【００４６】
クッション本体としての第１クッション部１３は、第１表面部１４と第１対向面部１６とから形成された角である第１角部２１が、Ｃ面取り加工されている。一方で、カバーとしての第１クッション部１３の第１角部２１は、面取り加工されていない。
【００４７】
第２クッション部２２は、第１クッション部１３と同様に、表面である第２表面部２３と、裏面である第２裏面部２４と、後端において第２表面部２３及び第２裏面部２４に連接された第２対向面部２５と、左側面である第２左側面部２６と、右側面である第２右側面部２７とから構成されている。第２クッション部２２は、側方視の形状を直角三角形とした三角柱である。すなわち、第２右側面部２７及び第２左側面部２６は、直角三角形であり、第２表面部２３及び第２裏面部２４は、四角形であり、第２対向面部２５は、長方形である。したがって、第２クッション部２２の第２裏面部２４は、後端側から前端側に向かうにしたがって、徐々に第２表面部２３から離れて傾斜していることから、第２クッション部２２は、前端側の厚みが後端側の厚みよりも厚い。
【００４８】
クッション本体としての第２クッション部２２は、第２軟性部位２８と第２硬性部位２９とを有している。第２軟性部位２８は、第２クッション部２２のうち、左右における中央部分であって、前後に渡る部分である。第２軟性部位２８は、被施術者が載る部位であり、被施術者の背中が当たる。第２硬性部位２９は、第２クッション部２２のうち、中央部分である第２軟性部位２８を除いた左右側方部分であって、前後に渡る部分である。第２軟性部位２８は、第２硬性部位２９と比較して柔らかく、換言すれば、第２硬性部位２９は、第２軟性部位２８と比較して硬い。
【００４９】
クッション本体としての第２クッション部２２は、第２裏面部２４と第２対向面部２５とから形成された角である第２角部３０が、Ｃ面取り加工されている。一方で、カバーとしての第２クッション部２２の第２角部３０は、面取り加工されていない。
【００５０】
第２クッション部２２の厚みは、第１クッション部１３の厚みよりも薄い。すなわち、第２対向面部２５の上下方向の高さが、第１対向面部１６の上下方向の高さよりも低いため、各対向面部１６，２５の高低差が、各クッション部１３，２２の厚みの差となる。
【００５１】
連結片３３は、第１対向面部１６と第２対向面部２５とに連結されている。連結片３３は、第１対向面部１６の上端と、第２対向面部２５の上端とに連結され、第１表面部１４及び第２表面部２３に対して、同一面上、又は、ほぼ同一面上にある。連結片３３は、薄手の長方形であり、前後方向における中央部分であって、左右に渡る部分に、分割手段としてのファスナー３４が取り付けられている。したがって、連結片３３は、ファスナー３４によって、分割可能である。すなわち、第１クッション部１３と第２クッション部２２とは、連結片３３を介して分離可能である。
【００５２】
第１クッション部１３と第２クッション部２２とは、連結片３３が柔軟に折れ曲がることで、寝姿勢や座位姿勢に、自在に変位する。すなわち、第１クッション部１３と第２クッション部２２とが同一平面上に揃えられると共に、第１対向面部１６と第２対向面部２５とが対向して接触することで、寝姿勢となり、第２クッション部２２が、第１クッション部１３に対して起き、第１クッション部１３と交差する方向又は直交する方向に向けられることで、座位姿勢となる。その他、第１クッション部１３は、第２クッション部２２に重なることもできる。
【００５３】
クッション１２は、裏面に、歯科診療椅子１の表面と接触する載置面部３１を有し、表面に、被施術者が載る支持面部３２を有している。載置面部３１は、第１裏面部１５と第２裏面部２４とから形成され、支持面部３２は、第１表面部１４と第２表面部２３とから形成されている。寝姿勢において、載置面部３１は、Ｖ字状となり、支持面部３２は、平坦となる。
【００５４】
以上のとおり、クッション１２が構成されている。
【００５５】
次に、本実施形態の使用方法を、本実施形態の作用及び効果と共に説明する。
【００５６】
図１ないし３に示されているとおり、第１姿勢の歯科診療椅子１において、クッション１２が載置される。クッション１２は、座位姿勢である。第１クッション部１３は、座部シート５に載り、第１裏面部１５は、座部シート５の表面に接触し、第１対向面部１６は、座部シート５とバックレスト７との隙間３５に配置される。第２クッション部２２は、第１クッション部１３の上に載せられ、バックレスト７に寄りかかっている。第２対向面部２５は、連結片３３を介して、第１表面部１４に接触し、第２裏面部２４は、バックレスト７の表面に接触している。第１姿勢おいて、被施術者がクッション１２に載る。その際、被施術者の臀部及び大腿部は、第１クッション部１３の第１軟性部位１９に当たって沈み、第１硬性部位２０によって両側から支持される。また、施術者の背中は、第２クッション部２２の第２軟性部位２８に当たって沈み、第２硬性部位２９によって両側から支持される。
【００５７】
歯科診療椅子１が第１姿勢から第２姿勢に変形する過程において、クッション１２は、座位姿勢から寝姿勢に変形する。図４及び５に示されているとおり、バックレスト７が倒れることで、第２クッション部２２は、バックレスト７に追随して倒れる。クッション本体の第２角部３０と第１角部２１とは、Ｃ面取り加工されているため、カバーの第２対向面部２５が、カバーの第１表面部１４に対して滑る際、カバーの第２角部３０とカバーの第１角部２１とが潰れることで、干渉が低減し、第２クッション部２２は円滑に変位する。第１クッション部１３と第２クッション部２２とは、連結片３３によって連結されているため、各クッション部１３，２２を別個に扱う場合と比較して、取り扱いが簡便である。また、連結片３３によって、第１クッション部１３及び第２クッション部２２は、第１姿勢から第２姿勢への変形に追随して変位するため、取り扱いが簡便である。また、第１裏面部１５の滑り止め部によって、第１クッション部１３は、座部シート５に対して滑らず、位置決めされる。
【００５８】
第２姿勢の歯科診療椅子１において、クッション１２は寝姿勢となる。第２対向面部２５は、第１対向面部１６と、隙間を空けて対面し、又は対面して接触し、連結片３３は、ファスナー３４が折り目となって二つ折りにされた状態で垂れ下がり、各対向面部１６，２５の間に挟まる。第１表面部１４と第２表面部２３とは、同一面上に揃う。寝姿勢では、第１クッション部１３は、バックレスト７側である後端側に向けられた側の厚みが、レッグレスト６側である前端側に向けられた側の厚みよりも厚く、第１裏面部１５が下方に向けて傾斜し、一方で、第２クッション部２２は、座部シート５側である前端側に向けられた側の厚みが、ヘッドレスト８側である後端側に向けられた側の厚みよりも厚く、第２裏面部２４が下方に向けて傾斜している。そのため、載置面部３１がＶ字状となり、載置面部３１は、座部シート５とバックレスト７との谷間１１に倣った形状で谷間１１に沿って載せられる。支持面部３２は、平坦となり、施術面が現れる。被施術者は、支持面部３２上で横たわった姿勢となる。
【００５９】
上記したとおり、本実施形態では、第２姿勢の歯科診療椅子１に対して、座部シート５とバックレスト７との谷間１１が、載置面部３１で埋められる一方で、被施術者が載る支持面部３２は、平坦となる（図５参照。）。したがって、歯科診療椅子１は、谷間１１が形成された第２姿勢であっても、クッション１２によって、疑似的に谷間１１が無い椅子となる。被施術者は、臀部を、谷間１１の位置に依らず、施術面上の適した位置に載せることができる。また、被施術者は、頭部をヘッドレスト８に載せた場合であっても、谷間１１の位置に依らずに臀部を施術面上の適当な位置に載せることができる。したがって、クッション１２は、様々な体格の被施術者に歯科診療椅子１を適合させることができる。また、クッション１２は、歯科診療椅子１に載置されるだけの構成であるため、取り扱いが簡便である。
【００６０】
ランバー部分１０が隆起したバックレスト７は、座部シート５と比較して、表面の位置が高いため、施術面を実現するうえで、ランバー部分１０から施術面までの距離と、座部シート５から施術面までの距離とは異なり、前者の方が短い（図５参照。）。本実施形態では、バックレスト７に載置される第２クッション部２２の厚みが、ランバー部分１０の張り出し度合いに相当する分、座部シート５に載置される第１クッション部１３の厚みよりも薄く形成されている。したがって、段差のない平坦な施術面が実現する。
【００６１】
本実施形態では、連結片３３は、第１対向面部１６の上端と、第２対向面部２５の上端とに連結され、第１表面部１４及び第２表面部２３に対して、同一面上、又は、ほぼ同一面上にある（図６参照。）。この構成により、第１クッション部１３及び第２クッション部２２は、各対向面部１６，２５を起点として変位するため、変位する方向が一定である。したがって、各姿勢への変形において、バックレスト７及び座部シート５が傾斜する方向と、各クッション部１３，２２が変位する方向とが一致し、各クッション部１３，２２が適切に追随する。また、第２クッション部２２と第１クッション部１３とが重なり合って、クッション１２が折り畳まれた状態であれば、収納が容易である。
【００６２】
本考案の他の実施形態では、連結片は、分割手段を有していない。
他の実施形態の分割手段は、ファスナーに替えて面ファスナーやボタンである。
他の実施形態の分割手段は、連結片の前後方向における前寄り又は後寄りにある。
他の実施形態の連結片は、第１対向面部及び第２対向面部の上端以外の部位に連結されている。例えば、第１対向面部及び第２対向面部の中ほど、第１対向面部及び第２対向面部の下端、第１右側面部と第２右側面部、第１左側面部と第２左側面部等に連結されている。
他の実施形態は、連結片を有さず、第１クッション部と第２クッション部とが別個である。
他の実施形態では、第１右側面部及び第１左側面部を、直角三角形ではない三角形とし、第１クッション部は、直角三角形ではない三角柱である。
他の実施形態では、第２右側面部及び第２左側面部を、直角三角形ではない三角形とし、第２クッション部は、直角三角形ではない三角柱である。
他の実施形態では、第１クッション部又は第２クッション部のいずれかが、直角三角形の三角柱であり、他方が直角三角形ではない三角柱である。
他の実施形態では、第１クッション部又は第２クッション部のいずれもが、直角三角形ではない三角柱である。
他の実施形態では、第１クッション部の厚みと第２クッション部の厚みが同じである。
他の実施形態では、第１クッション部の厚みが第２クッション部の厚みよりも薄い。
他の実施形態の第１角部及び第２角部は、糸面取り加工され、又は、Ｒ面取り加工されている。なお、面取り加工の種類は、第１角部と第２角部とで異なっていてもよい。
他の実施形態では、第１角部又は第２角部のいずれかが面取り加工され、他方は面取り加工されていない。
他の実施形態は、カバーにおける第１角部と第２角部とが面取り加工されている。
他の実施形態は、カバーを有していない。
他の実施形態の第１角部及び第２角部は、面取り加工されていない。
他の実施形態は、滑り止め部を有していない。
他の実施形態は、第１クッション部の硬さ及び第２クッション部の硬さが、それぞれ均一である。すなわち、第１硬性部位、第１軟性部位、第２硬性部位及び第１軟性部位の区別がない。
他の実施形態は、第１クッション部又は第２クッション部のいずれか一方が、硬性部位と軟性部位とに分かれている。
【００６３】
以上、本考案の実施形態を詳述したが、本考案は上記実施形態に限定されるものではない。そして本考案は、実用新案登録請求の範囲に記載された事項を逸脱することがなければ、種々の設計変更を行うことが可能である。
【符号の説明】
【００６４】
１    歯科診療椅子（施術用椅子）
２    稼働装置
３    操作スイッチ
４    フットレスト
５    座部シート
６    レッグレスト
７    バックレスト
８    ヘッドレスト
９    アームレスト
１０  ランバー部分
１１  谷間
１２  クッション
１３  第１クッション部
１４  第１表面部
１５  第１裏面部
１６  第１対向面部
１７  第１左側面部
１８  第１右側面部
１９  第１軟性部位
２０  第１硬性部位
２１  第１角部
２２  第２クッション部
２３  第２表面部
２４  第２裏面部
２５  第２対向面部
２６  第２左側面部
２７  第２右側面部
２８  第２軟性部位
２９  第２硬性部位
３０  第２角部
３１  載置面部
３２  支持面部
３３  連結片
３４  ファスナー（分割手段）
３５  隙間
【図１】
0003232267.tif 000003
【図２】
0003232267.tif 000004
【図３】
0003232267.tif 000005
【図４】
0003232267.tif 000006
【図５】
0003232267.tif 000007
【図６】
0003232267.tif 000008
【図７】
0003232267.tif 000009
【図８】
0003232267.tif 000010